(57)【要約】【課題】  各種の電子機器において、電源変換時の電力損失を減らし、電子機器を省電力化すること。【解決手段】  一実施形態における電子機器は、外部電源を取り込んで動作電力を生成する電源ユニットと、電力が充電されるバッテリと、前記電源ユニット又は前記バッテリからの電力供給を受けて動作する複数のデバイスと、これら各デバイスを通常の消費電力にて動作させる通常モードにおいては前記電源ユニットにて生成される動作電力を前記各デバイスに供給させ、これら各デバイスによる消費電力を前記通常モードでの動作時よりも低減する低電力モードにおいては前記バッテリに蓄えられた電力を前記各デバイスに供給させる制御手段と、を備える。【選択図】    図２
2013020516.tif 000002
【特許請求の範囲】
【請求項１】
外部電源を取り込んで動作電力を生成する電源ユニットと、
電力が充電されるバッテリと、
前記電源ユニット又は前記バッテリからの電力供給を受けて動作する複数のデバイスと、
これら各デバイスを通常の消費電力にて動作させる通常モードにおいては前記電源ユニットにて生成される動作電力を前記各デバイスに供給させ、これら各デバイスによる消費電力を前記通常モードでの動作時よりも低減する低電力モードにおいては前記バッテリに蓄えられた電力を前記各デバイスに供給させる制御手段と、
を備えることを特徴とする電子機器。
【請求項２】
前記バッテリは、前記通常モードにおいて前記電源ユニットからの電力供給を受けて充電されることを特徴とする請求項１に記載の電子機器。
【請求項３】
前記バッテリの残量不足を検出する検出手段をさらに備え、
前記制御手段は、前記検出手段によって前記バッテリの残量不足が検出されたとき、前記バッテリから前記各デバイスへの電力供給を停止し、前記電源ユニットにて生成される動作電力を前記各デバイスに供給させることを特徴とする請求項１に記載の電子機器。
【請求項４】
前記外部電源が停電したとき、前記バッテリに蓄えられた電力を用いて当該電子機器をシャットダウン処理するシャットダウン処理手段をさらに備えることを特徴とする請求項１に記載の電子機器。
【請求項５】
当該電子機器の操作者を登録及び登録解除する操作者登録手段をさらに備え、
前記操作者登録手段によって操作者が登録されたときに前記通常モードに切り替え、前記操作者登録手段によって操作者の登録が解除されたときに低電力モードに切り替えることを特徴とする請求項１に記載の電子機器。
【請求項６】
所定の操作鍵にて回動操作される鍵スイッチをさらに備え、
前記鍵スイッチの操作に応じて前記通常モード及び低電力モードを切り替えることを特徴とする請求項１に記載の電子機器。
【発明の詳細な説明】
【技術分野】
【０００１】
本発明の実施形態は、ＰＯＳ（Point Of Sales）ターミナル等の電子機器に関する。
【背景技術】
【０００２】
商品の販売や役務の提供を行う店舗においては、ＰＯＳターミナルやＥＣＲ（Electric Cash Register）等の決済処理装置を用いて取引の会計が行われている。一般的なＰＯＳターミナルは、レシートプリンタを備えており、このレシートプリンタを用いて取引の詳細情報が印刷されたレシートを発行する。上記レシートプリンタによるレシート印刷時には、多大な電力が消費される。通常はこの電力がＰＯＳターミナルにおける最大消費電力となる。ＰＯＳターミナルの電源装置は、この最大消費電力に合せて決定される定格電力値にて変換効率（ＡＣ−ＤＣ変換）が最も高くなるように設計されている。
【０００３】
また、ＰＯＳターミナルには、停電時にいきなり電断して記憶装置内のプログラムやデータなどが破損することを防ぐ目的でバッテリを搭載し、停電時にはこのバッテリによる駆動にて正常にシャットダウン処理を行う機能を備えたものもある。但し、日本のように電源事情が好ましい環境では停電が発生する可能性は極めて低く、ＰＯＳターミナルが製造されてから廃棄されるまで一度も同バッテリが使用されないケースも多々ある。
【先行技術文献】
【特許文献】
【０００４】
【特許文献１】特開２００１−１４２５８４号公報
【発明の概要】
【発明が解決しようとする課題】
【０００５】
レシートは、１取引において１枚発行される。ここで、あるＰＯＳターミナルにて１日に会計する客数が５００人、１枚のレシートが１０ｃｍ、印字速度が２４０ｍｍ／秒とした場合、１日のうちでＰＯＳターミナルがレシートを印刷している時間は、約４分となる。
【０００６】
また、通常、レシート印刷時の次にＰＯＳターミナルの消費電力が大きいのは、キーボードやスキャナを用いて商品登録に関わる処理が行われているときである。ここで、あるＰＯＳターミナルにて商品登録に要する時間が１取引当り１分、１日に会計する客数が５００人とした場合、１日のうちでＰＯＳターミナルが商品登録を行う時間は、約８時間となる。
【０００７】
これらのことから、一般的なＰＯＳターミナルの稼働時間が１日当り約１６時間とすると、そのうちの半分が商品登録に使用され、わずかな時間だけレシートプリンタが使用されていることになる。つまり、１日のうちの半分が停止状態となっている。しかしながら、少ない時間でもレシートプリンタを動作させるための電力を供給しなければならないので、装備する電源装置は上記した通りレシート印刷時の消費電力に合せる必要がある。そうすると、レシートを印刷するわずかな時間だけ高効率でＡＣ−ＤＣ変換が行われるが、他の多くの時間は低効率でＡＣ−ＤＣ変換が行われ、無駄な電力を消費していることになる。
【０００８】
なお、ここに挙げた電力消費に関わる問題は、ＰＯＳターミナルのみならず他種の電子機器でも同様に生じる問題である。
【０００９】
以上のような事情から、各種の電子機器において、電源変換時の電力損失を減らし、電子機器を省電力化するための手段を講じる必要があった。
【課題を解決するための手段】
【００１０】
一実施形態における電子機器は、外部電源を取り込んで動作電力を生成する電源ユニットと、電力が充電されるバッテリと、前記電源ユニット又は前記バッテリからの電力供給を受けて動作する複数のデバイスと、これら各デバイスを通常の消費電力にて動作させる通常モードにおいては前記電源ユニットにて生成される動作電力を前記各デバイスに供給させ、これら各デバイスによる消費電力を前記通常モードでの動作時よりも低減する低電力モードにおいては前記バッテリに蓄えられた電力を前記各デバイスに供給させる制御手段と、を備えている。
【図面の簡単な説明】
【００１１】
【図１】一実施形態に係るＰＯＳターミナルの要部構成を示すブロック図。
【図２】同ＰＯＳターミナルの電源供給に関する回路構成を示す図。
【図３】同ＰＯＳターミナルの基本的な電源制御を説明するためのフローチャート。
【図４】同ＰＯＳターミナルの停電時における電源制御を説明するためのフローチャート。
【発明を実施するための形態】
【００１２】
以下、一実施形態について図面を参照しながら説明する。  
なお、この実施形態においては、電子機器の一例として、商品の販売や役務の提供を行う店舗にて会計処理に使用されるＰＯＳターミナルを開示する。
【００１３】
図１は、本実施形態に係るＰＯＳターミナル１の要部構成を示すブロック図である。このＰＯＳターミナル１は、制御の中枢として機能するＣＰＵ（Central Processing Unit）２を備える。このＣＰＵ２には、チップセットやバスライン等を介してＲＯＭ（Read Only Memory）３、ＲＡＭ（Random Access Memory）４、通信Ｉ／Ｆ（Interface）５、バーコードスキャナ６、ＨＤＤ（Hard Disk Drive）７、キーボード８、ディスプレイ９、タッチパネル１０、カードリーダ１１、レシートプリンタ１２等が接続されている。ＲＯＭ３には、ＰＯＳターミナル１に商品登録処理等の動作を実現させるための制御プログラムを始めとし、各種の固定的データが記憶されている。ＲＡＭ４は、ＰＯＳターミナル１のメインメモリとして機能するものであり、処理場面に応じて種々の作業用記憶エリアが形成される。
【００１４】
通信Ｉ／Ｆ５は、店舗内のＬＡＮ（Local Area Network）やインターネットに接続された各種機器との間で、通信ケーブル５ａを介して各種のデータを送受信する。バーコードスキャナ６は、例えば店員が手持で操作するハンディタイプのスキャナであり、バーコードを光学的に読み取る。このバーコードスキャナ６によって商品に付されたバーコードを読み取ることにより、当該商品の識別情報であるＰＬＵコードが入力される。ＰＬＵコードが入力されると、ＣＰＵ２の制御の下で当該コードに対応する商品の価格や名称等の商品データがＨＤＤ７等に記憶された商品マスタから特定され、ＲＡＭ４に生成された商品登録バッファに登録される。
【００１５】
キーボード８は、商品登録の開始を宣言するためのＰＬＵ（Price Look Up）キー、取引の締めを宣言するための締めキー、０〜９の数字を置数するためのテンキー等で構成されている。締めキーが操作されると、ＣＰＵ２の制御の下で、商品登録バッファに登録された商品データに基づき取引の合計代金が算出されるとともに、現金や電子マネーによる周知の手順の支払処理が実行される。また、キーボード８には、例えば店員が所持する鍵が挿入されたときに回動可能となる鍵スイッチ１３が設けられている。この鍵スイッチ１３の回動により、ＰＯＳターミナル１の動作モードが、例えば商品登録業務を行う商品登録モードや、ＰＯＳターミナル１を休止状態に移行させる休止モードなどの間で切り替わる。
【００１６】
商品登録モードにおいては、ＰＯＳターミナル１の操作責任者の登録が要求され、この登録を行わないと商品登録業務を行えないようになっている。操作責任者が登録されていない状態において、例えばキーボード８を操作すること、あるいはバーコードスキャナ６により店員が所持する名札に印刷されたバーコードを読み取ることなどで店員の識別情報が入力されると、ＣＰＵ２の制御の下で、当該識別情報で示される店員が操作責任者として登録される。その後、キーボード８の操作によって操作責任者の登録解除が宣言されたり、鍵スイッチ１３によりＰＯＳターミナル１の動作モードが商品登録業務以外のモードに切り替えられたりすると、ＣＰＵ２の制御の下で、操作責任者の登録が解除される。このような操作責任者の登録および登録解除に関してＣＰＵ２が実行する処理等は、本実施形態における責任者登録手段を構成する。
【００１７】
上記休止モードや商品登録モードにて操作責任者が登録されていない状態（以下、低電力モード）においては、ＰＯＳターミナル１が備えるデバイスの少なくとも一部を、商品登録モードにて操作責任者が登録されている状態（以下、通常モード）よりも低い電力で動作させるか、あるいは各デバイスのうちの少なくとも一部の動作を停止させることで、各デバイスによる消費電力が上記通常モードでの動作時よりも低減される。なお、鍵スイッチ１３の操作や操作責任者の登録／解除に起因して、通常モードと低電力モードとを切り替える際にＣＰＵ２が実行する処理等は、本実施形態における切替手段を構成する。
【００１８】
ディスプレイ９は、例えばＬＣＤ（Liquid Crystal Display）であり、商品登録バッファに登録された商品データや、取引の合計代金等の情報を表示する。タッチパネル１０は、ディスプレイ９の表示面上に設けられ、ディスプレイ９に表示されたＧＵＩ（Graphical User Interface）に対する接触操作を検知する。カードリーダ１１は、ＩＣタイプあるいは磁気タイプのクレジットカードやポイントカードから、クレジット情報やポイント情報等を読み取る。
【００１９】
レシートプリンタ１２は、例えばサーマルプリンタであり、取引の締めが宣言されたときに、商品登録バッファに登録された商品データ、合計代金、預かり金額、釣銭額、店舗に関する情報、登録中の操作責任者に関する情報等をレシート用紙に印刷し、ＰＯＳターミナル１の筐体に設けられたレシート排出口から発行する。
【００２０】
次に、ＰＯＳターミナル１が備える電源供給に関する回路（以下、電源回路）の構成につき、図２を用いて説明する。
【００２１】
ＰＯＳターミナル１の電源回路は、電源ユニット２０、バッテリ２１、ＰＮＰ型のトランジスタ２２ａ，２３ａ，２４ａ、電源リレー回路２２ｂ、充電リレー回路２３ｂ、バッテリリレー回路２４ｂ、電流を整流するためのダイオード２２ｃ，２３ｃ，２４ｃ、電圧監視回路２５、複数のＤＣ−ＤＣ変換回路３０-１〜３０-ｎ、および制御回路４０等で構成される。電源ユニット２０は、ＡＣコンセントを介して商用交流電源等の外部電源（ＡＣ入力）を取り込み、取り込んだ外部電源をＤＣ電源に変換し、例えば１２Ｖ，５Ｖ，３.３ＶのＤＣ電圧（ＤＣ出力）を生成する。この電源ユニット２０は、ＰＯＳターミナル１の定格電力を考慮して設計されており、ＰＯＳターミナル１の消費電力が上記定格電力に近づくほどＡＣ−ＤＣ変換効率が高くなる。なお、ＰＯＳターミナル１の消費電力は、レシートプリンタ１２によるレシート印字時に最大となり、このときの消費電力に合せて上記定格電力が定められている。
【００２２】
また、電源ユニット２０は、外部電源からの電力供給が停止したときに停電を検出し、信号Ｃ１を制御回路４０に出力する機能を備える。トランジスタ２２ａのエミッタは電源ユニット２０に接続され、コネクタはダイオード２２ｃを介して各変換回路３０-１〜３０-ｎに接続され、ベースは電源リレー回路２２ｂに接続されている。
【００２３】
トランジスタ２３ａのエミッタは電源ユニット２０に接続され、コネクタはダイオード２３ｃを介してバッテリ２１に接続され、ベースは充電リレー回路２３ｂに接続されている。トランジスタ２４ａのエミッタはバッテリ２１に接続され、コネクタはダイオード２４ｃを介して各変換回路３０-１〜３０-ｎに接続され、ベースはバッテリリレー回路２４ｂに接続されている。
【００２４】
電圧監視回路２５は、バッテリ２１の蓄電残量不足を検出する。具体的には、電圧監視回路２５は、バッテリ２１の電圧を監視し、この電圧が予め定められた基準値を下回ったときに、制御回路４０に信号Ｃ２を出力する。上記基準値は、バッテリ２１の残量が不足している場合の電圧値と、そうでない場合の電圧値とを隔てる値に設定されている。
【００２５】
制御回路４０は、所定のタイミングで電源リレー回路２２ｂ、充電リレー回路２３ｂ、バッテリリレー回路２４ｂに対して制御信号を出力し、各回路２２ｂ〜２４ｂをオン／オフする。制御回路４０は、例えば上記ＣＰＵ２、チップセット、ＲＯＭ３、ＲＡＭ４等で構成される。あるいは、制御回路４０は、ＣＰＵ２等とは別途に設けられたプロセッサやメモリにて構成されてもよい。
【００２６】
電源リレー回路２２ｂは、制御回路４０によってオンされると、トランジスタ２２ａのベースに電流を供給する。これによりトランジスタ２２ａのエミッタ，コレクタ間が導通し、電源ユニット２０にて生成されたＤＣ電源が各変換回路３０-１〜３０-ｎに供給される。また、電源リレー回路２２ｂは、制御回路４０によってオフされると、トランジスタ２２ａのベースへの電流供給を停止する。これによりトランジスタ２２ａのエミッタ，コレクタ間が非導通となり、電源ユニット２０から各変換回路３０-１〜３０-ｎへの電源供給が停止される。
【００２７】
充電リレー回路２３ｂは、制御回路４０によってオンされると、トランジスタ２３ａのベースに電流を供給する。これによりトランジスタ２３ａのエミッタ，コレクタ間が導通し、電源ユニット２０にて生成されたＤＣ電源がバッテリ２１に供給される。バッテリ２１は、電源ユニット２０から供給されるＤＣ電源にて充電される。また、充電リレー回路２３ｂは、制御回路４０によってオフされると、トランジスタ２３ａのベースへの電流供給を停止する。これによりトランジスタ２３ａのエミッタ，コレクタ間が非導通となり、電源ユニット２０からバッテリ２１への電源供給が停止される。
【００２８】
バッテリリレー回路２４ｂは、制御回路４０によってオンされると、トランジスタ２４ａのベースに電流を供給する。これによりトランジスタ２４ａのエミッタ，コレクタ間が導通し、バッテリ２１に蓄電された電力がＤＣ電源として各変換回路３０-１〜３０-ｎに供給される。また、バッテリリレー回路２４ｂは、制御回路４０によってオフされると、トランジスタ２４ａのベースへの電流供給を停止する。これによりトランジスタ２４ａのエミッタ，コレクタ間が非導通となり、バッテリ２１から各変換回路３０-１〜３０-ｎへの電源供給が停止される。
【００２９】
各変換回路３０-１〜３０-ｎは、電源ユニット２０から供給されるＤＣ電源に基づき所定の回路電圧Ｖ１，Ｖ２，Ｖ３・・・Ｖｎを生成し、通信Ｉ／Ｆ５、バーコードスキャナ６、ＨＤＤ７、キーボード８、ディスプレイ９、タッチパネル１０、カードリーダ１１、レシートプリンタ１２等のデバイスに供給する。各デバイスは、この回路電圧Ｖ１，Ｖ２，Ｖ３・・・Ｖｎにて駆動される。
【００３０】
次に、本実施形態に係るＰＯＳターミナル１の電源制御に関わる動作について、図３，図４のフローチャートを参照しつつ説明する。
【００３１】
ＰＯＳターミナル１の筐体に設けられた電源スイッチがオンされると、電源ユニット２０が外部電源を取り込んでＤＣ電源の生成を開始する。制御回路４０は、このＤＣ電源の供給を受けて動作を開始し、バッテリリレー回路２４ｂをオフし（ステップＳ１）、電源リレー回路２２ｂをオンし（ステップＳ２）、充電リレー回路２３ｂをオンする（ステップＳ３）。これにより、電源ユニット２０にて生成されたＤＣ電源が各変換回路３０-１〜３０-ｎに供給され、各変換回路３０-１〜３０-ｎが回路電圧Ｖ１〜Ｖｎを生成して各デバイスに供給する。また、電源ユニット２０にて生成されたＤＣ電源がバッテリ２１に供給され、バッテリ２１が充電される。
【００３２】
その後、ＢＩＯＳ（Basic Input/Output System）による各デバイスの診断・初期化処理等を経て、ＣＰＵ２の制御の下でオペレーティングシステムが起動される。オペレーティングシステムが起動されると、鍵スイッチ１３にて指定された動作モードにおける処理が実行される。
【００３３】
各動作モードにおける処理が実行されている間、制御回路４０は、ステップＳ４以降の処理を実行する。すなわち、先ず制御回路４０は、電源ユニット２０からの出力に基づき、外部電源が停電したか否かを判定する（ステップＳ４）。電源ユニット２０から信号Ｃ１が出力されていないならば、外部電源が停電していないと判定し（ステップＳ４のＮｏ）、制御回路４０は、現在の動作モードが上記通常モードであるか否かを判定する（ステップＳ５）。現在の動作モードが通常モードである場合（ステップＳ５のＹｅｓ）、制御回路４０は、バッテリリレー回路２４ｂをオフし（ステップＳ６）、電源リレー回路２２ｂをオンし（ステップＳ７）、充電リレー回路２３ｂをオンする（ステップＳ８）。その後、ステップＳ４の処理に戻る。このとき、ステップＳ１〜Ｓ３の場合と同様に、電源ユニット２０にて生成されたＤＣ電源が各変換回路３０-１〜３０-ｎに供給され、各変換回路３０-１〜３０-ｎが回路電圧Ｖ１〜Ｖｎを生成して各デバイスに供給する。また、電源ユニット２０にて生成されたＤＣ電源がバッテリ２１に供給され、バッテリ２１が充電される。
【００３４】
このように、ＰＯＳターミナル１が通常モードで動作している間は、電源ユニット２０にて生成されるＤＣ電源に基づいて回路電圧Ｖ１〜Ｖｎが生成され、この回路電圧Ｖ１〜Ｖｎにて各デバイスが駆動される。
【００３５】
一方、現在の動作モードが上記低電力モードである場合（ステップＳ５のＮｏ）、制御回路４０は、充電リレー回路２３ｂをオフし（ステップＳ１０）、バッテリリレー回路２４ｂをオンし（ステップＳ１１）、電源リレー回路２２ｂをオフする（ステップＳ１２）。その後、ステップＳ４の処理に戻る。このとき、バッテリ２１から各変換回路３０-１〜３０-ｎにＤＣ電源が供給され、各変換回路３０-１〜３０-ｎが回路電圧Ｖ１〜Ｖｎを生成して各デバイスに供給する。
【００３６】
このように、ＰＯＳターミナル１が低電力モードに切り替えられたときには、バッテリ２１から供給されるＤＣ電源に基づいて回路電圧Ｖ１〜Ｖｎが生成され、この回路電圧Ｖ１〜Ｖｎにて各デバイスが駆動される。また、バッテリ２１の充電は中止される。また、停電等により外部電源の供給が停止されると（ステップＳ４のＹｅｓ）、図４に示した処理が行われる。すなわち制御回路４０は、充電リレー回路２３ｂをオフし（ステップＳ１３）、バッテリリレー回路２４ｂをオンし（ステップＳ１４）、電源リレー回路２２ｂをオフする（ステップＳ１５）。このとき、バッテリ２１から各変換回路３０-１〜３０-ｎにＤＣ電源が供給され、各変換回路３０-１〜３０-ｎが回路電圧Ｖ１〜Ｖｎを生成して各デバイスに供給する。すなわち、停電直前まで電源ユニット２０からのＤＣ電源にて各デバイスが駆動されていたとしても、これら各デバイスの駆動電源がバッテリ２１に切り替わる。
【００３７】
この状態で、ＣＰＵ２の制御の下でオペレーティングシステムのシャットダウン処理が実行される（ステップＳ１６：シャットダウン処理手段）。このシャットダウン処理では、少なくとも作業中のデータがＨＤＤ７に保存される。
【００３８】
続いて、以上説明した構成による作用について説明する。  
鍵スイッチ１３の操作によりＰＯＳターミナル１の動作モードが商品登録モードに設定され、操作責任者が登録された状態においては、バーコードスキャナ６によるバーコードの読み取り、ディスプレイ９への各種情報の表示、カードリーダ１１によるカードの読み取り、レシートプリンタ１２によるレシートの印刷等が行われるので、消費電力が比較的高くなる。このとき、電源ユニット２０から供給されるＤＣ電源を用いてバーコードスキャナ６、ディスプレイ９、カードリーダ１１、レシートプリンタ１２等のデバイスが駆動される（ステップＳ４のＮｏ、Ｓ５のＹｅｓ、Ｓ６〜Ｓ８）。既述の通り電源ユニット２０は、消費電力が高いときに良好なＡＣ−ＤＣ変換効率を発揮するので、このように商品登録業務が行われている間のＡＣ−ＤＣ変換による電力損失は抑えられる。
【００３９】
店舗への来店数が少ない時間帯などには、店員が鍵スイッチ１３を操作したり、責任者登録を解除してＰＯＳターミナル１の動作モードを低電力モードに切り替える。そうすると、例えばディスプレイ９を消灯したり、レシートプリンタ１２が備えるサーマルヘッドの予熱を中止したりして、ＰＯＳターミナル１の消費電力が低減される。このとき、バッテリ２１から供給されるＤＣ電源を用いてバーコードスキャナ６、ディスプレイ９、カードリーダ１１、レシートプリンタ１２等のデバイスが駆動される（ステップＳ４のＮｏ、Ｓ５のＮｏ、Ｓ１０〜Ｓ１２）。また、バッテリ２１の充電も中止される。したがって、ＡＣ−ＤＣ変換による電力損失は生じない。電源ユニット２０は、消費電力が低いときにはＡＣ−ＤＣ変換効率が悪化するので、このように休止モードに切り替わったときにＡＣ−ＤＣ変換を行わないようにすれば、同変換による電力損失がカットされる。すなわち、各モードでの動作時を通してみれば、ＰＯＳターミナル１が省電力化されることになる。
【００４０】
但し、バッテリ２１の残量が低下した場合には、電源ユニット２０からＤＣ電源の供給を受けて各デバイスが動作する（ステップＳ４のＮｏ、Ｓ５のＮｏ、Ｓ９のＹｅｓ、Ｓ６〜Ｓ８）。したがって、バッテリ２１の残量切れによりＰＯＳターミナル１が動作停止するような事態は生じない。
【００４１】
さらに、停電時にはバッテリ２１からの電源供給を受けて各デバイスが動作し、オペレーティングシステムがシャットダウンされ、作業中のデータが保存される（ステップＳ４のＹｅｓ、Ｓ１３〜Ｓ１６）。したがって、作業中のデータが停電により破損あるいは消失することはない。また、このように停電時にシャットダウンを行うための電力を供給するバッテリを用いてＰＯＳターミナル１の省電力化が実現されるので、従来は使用機会の少なかったハードウェア資源が有効に活用される。
【００４２】
ここに例示したものの他にも、本実施形態に開示した構成からは、種々の好適な効果が得られる。
【００４３】
上記実施形態に開示された構成は、実施段階において各構成要素を適宜変形して具体化できる。具体的な変形例としては、例えば次のようなものがある。
【００４４】
上記実施形態では、電子機器の一例として、ＰＯＳターミナル１を例示した。しかしながら、上記実施形態にて開示した電源制御に関わる構成等を、他の電子機器、例えばＥＣＲ、プリンタ、複合機、事務用コンピュータ、パーソナルコンピュータ、サーバ装置、ＰＤＡ等の他の機器に適用してもよい。
【００４５】
上記実施形態では、ＰＯＳターミナル１が鍵スイッチ１３の操作や、操作責任者の登録／解除に起因して低電力モードに移行したときに各デバイスの駆動電源がバッテリ２１に切り替わる場合を例示した。しかしながら、低電力モードに移行するタイミングは、例えばＰＯＳターミナル１に対する操作が所定時間行われなかったときなど、他のタイミングであってもよい。
【００４６】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４７】
１  ＰＯＳターミナル
９  ディスプレイ
１２  レシートプリンタ
１３  鍵スイッチ
２０  電源ユニット
２１  バッテリ
２２ａ〜２４ａ  トランジスタ
２２ｂ  電源リレー回路
２３ｂ  充電リレー回路
２４ｂ  バッテリリレー回路
２５  電圧監視回路
３０  ＤＣ-ＤＣ変換回路
４０  制御回路
【図１】
2013020516.tif 000003
【図２】
2013020516.tif 000004
【図３】
2013020516.tif 000005
【図４】
2013020516.tif 000006